(57)【要約】【課題】表示パネル上の電極線と駆動ユニットとの接続構成を最適化した表示パネルを提供する。【解決手段】複数の駆動ユニットに接続される複数の電極線を有する表示パネルにおいて，複数の電極線がＭ本の連続して隣接する電極線からなる電極線群をＮ群有し，パネルの第１，第２の辺に沿って配置されそれぞれＭ端子を有する複数の第１，第２の接続端子群とを有する。そして，Ｎ群の電極線群のうちＫ群（Ｋ＜Ｎ）の電極線群がそれぞれ第１の接続端子群に引き出し線を介して接続され，Ｎ群の電極線群のうちＮ−Ｋ群の電極線群がそれぞれ第２の接続端子群に引き出し線を介して接続され，Ｋ群の電極線群とＮ−Ｋ群の電極線群とが１群毎にまたは複数群毎に交互に配置されている。【選択図】図４
2008064949.tif 000002
【特許請求の範囲】
【請求項１】
表示領域に形成された複数の電極線を有し，前記電極線が複数の駆動ユニットに接続される表示パネルにおいて，
前記複数の電極線が，Ｍ本の連続して隣接する電極線からなる電極線群をＮ群有し，
前記表示パネルの第１の辺に沿って配置され，それぞれＭ端子を有する複数の第１の接続端子群と，
前記表示パネルの前記第１の辺に対向する第２の辺に沿って配置され，それぞれＭ端子を有する複数の第２の接続端子群とを有し，
前記Ｎ群の電極線群のうちＫ群（Ｋ＜Ｎ）の電極線群がそれぞれ前記第１の接続端子群に引き出し線を介して接続され，
前記Ｎ群の電極線群のうちＮ−Ｋ群の電極線群がそれぞれ前記第２の接続端子群に引き出し線を介して接続され，
前記Ｋ群の電極線群と前記Ｎ−Ｋ群の電極線群とが，１群毎にまたは複数群毎に交互に配置されていることを特徴とする表示パネル。
【請求項２】
請求項１において，
前記Ｍ本が３８４本，前記Ｍ端子が３８４端子，前記Ｎ群が１５群であり，前記電極線が５７６０本の電極からなることを特徴とする表示パネル。
【請求項３】
請求項２において，
前記Ｋ群が７群であり，前記Ｎ−Ｋ群が８群であり，
前記第１の辺に沿って７群の第１の接続端子群が，７つの駆動ユニットにそれぞれ接続され，
前記第２の辺に沿って８群の第２の接続端子群が，８つの駆動ユニットにそれぞれ接続されることを特徴とする表示パネル。
【請求項４】
表示領域に形成された複数の電極線を有する表示パネルと，
前記電極線が接続される複数の駆動ユニットとを有する表示パネルモジュールにおいて，
前記複数の電極線が，Ｍ本の連続して隣接する電極線からなる電極線群をＮ群有し，
前記表示パネルの第１の辺に沿って配置され，それぞれＭ端子を有する複数の第１の接続端子群と，
前記表示パネルの前記第１の辺に対向する第２の辺に沿って配置され，それぞれＭ端子を有する複数の第２の接続端子群とを有し，
前記Ｎ群の電極線群のうちＫ群（Ｋ＜Ｎ）の電極線群がそれぞれ前記第１の接続端子群に引き出し線を介して接続され，
前記Ｎ群の電極線群のうちＮ−Ｋ群の電極線群がそれぞれ前記第２の接続端子群に引き出し線を介して接続され，
前記Ｋ群の電極線群と前記Ｎ−Ｋ群の電極線群とが，１群毎にまたは複数群毎に交互に配置され，
前記複数の駆動ユニットがそれぞれ前記第１及び第２の接続端子群と接続されることを特徴とする表示パネルモジュール。
【請求項５】
請求項１において，
前記Ｍ本が３８４本，前記Ｍ端子が３８４端子，前記Ｎ群が１５群であり，前記電極線が５７６０本の電極からなり，前記複数の駆動ユニットが１５ユニットからなることを特徴とする表示パネルモジュール。  
【発明の詳細な説明】
【技術分野】
【０００１】
本発明は，表示領域に電極線を有する表示パネルに関し，特に，駆動ユニットと電極線との接続構成を最適化した表示パネルに関する。
【背景技術】
【０００２】
プラズマディスプレイパネル（ＰＤＰ）や液晶表示パネルや有機ＥＬパネルなどの平面表示パネルは，表示領域に水平方向に延びる複数の電極線と垂直方向に延びる複数の電極線とを有する。そして，これらの電極線は，駆動回路装置とそれに接続される回路基板とを有する駆動ユニットとパネル端部の接続端子群を介して接続される。例えば，ＰＤＰの場合は，フレキシブルプリント回路基板（ＦＰＣ）がパネル端部で電極線から引き出された接続端子群と接続される。他の表示パネルも同様にして電極線が駆動ユニットに接続される。
【０００３】
駆動ユニットを構成するフレキシブルプリント回路基板は，コストダウンの要請から，ある程度の高い導電配線密度を有する所定の幅を有することが望まれる。配線密度が高く幅を狭くできれば基板自体のコストが下がるからである。ただし，接続端子群との接続の信頼性（端子間短絡など）を低下させないためには，その導電配線の密度には一定の制限がある。
【０００４】
一方で，表示領域に形成される電極線の密度，ピッチは，パネルサイズと表示パネルのスペックとにより決定される。たとえば，ＰＤＰにおいて，フルスペックのハイビジョンテレビ（高精細テレビ：ＨＤＴＶ）の場合は，１９２０×１０８０の画素数が要求され，水平解像度が１９２０画素×３色＝５７６０セルが必要になる。つまり，垂直方向に延びるアドレス電極数が５７６０本である。パネルサイズを一定と考えると，高解像度になるほど，アドレス電極間の間隔（ピッチ）が狭くなる。
【０００５】
したがって，表示パネル側の事情で決まる電極線のピッチと，駆動ユニット側の事情で決まる接続基板のサイズとの間の違いを吸収するために，表示パネルの端部に電極線から引き出された接続端子群が設けられる。電極線のピッチが駆動ユニット側の導電配線のピッチより大きければ，引き出し線は電極線から接続端子群に向かって幅が狭められる形状になる。この場合は，接続端子群を表示パネルの１辺上に配置することが可能になる。たとえば，特許文献１，２に記載されるとおりである。
【０００６】
逆に，高精細化に伴って電極線数が増大し，電極線のピッチが駆動ユニット側の導電配線のピッチより小さければ，接続端子群を表示パネルの１辺上に配置することはできず，表示パネルの上下の２辺上に分けて配置しなければならない。たとえば，ＰＤＰのアドレス電極であれば，表示パネルの上下端に接続端子群を設け，上下から駆動ユニットのフレキシブルプリント回路基板を接続することになる。このような構成は，たとえば，特許文献３に記載されている。
【特許文献１】特開２００１−２８３７３６号公報
【特許文献２】特開２００４−６３９６号公報
【特許文献３】特開２００５−３４０１３１号公報
【発明の開示】
【発明が解決しようとする課題】
【０００７】
上記の特許文献３の構成では，当該特許文献には必ずしも明確に記載されていないが，表示パネルの上下に同じ数の駆動ユニットを接続し，上下の１対の駆動ユニットには電極線が１本おきに接続される。それに伴って，１つの駆動ユニットに接続される接続端子群の幅と，電極線群の幅との差が大きくなり，引き出し配線の密度が高くなり断線の原因になる。
【０００８】
さらに，現在市場に出ている標準の駆動回路装置は３８４（＝１２８×３）本の電極を駆動するのに対して，フルスペックのハイビジョン表示パネルの規格では，水平方向に１９２０画素×３色＝５７６０画素を形成する必要がある。この場合，上記の特許文献３によれば，表示パネルの上下に対象に同じ数（上下それぞれ８個で合計１６個）の駆動ユニットを設けているので，３８４本×１６個＞５７６０となり，駆動回路装置の一部の出力端子が使用されずに無駄になっている。
【０００９】
そこで，本発明の目的は，表示パネル上の電極線と駆動ユニットとの接続構成を最適化した表示パネルを提供することにある。
【課題を解決するための手段】
【００１０】
上記の目的を達成するために，本発明の第１の側面によれば，表示領域に形成された複数の電極線を有し，前記電極線が複数の駆動ユニットに接続される表示パネルにおいて，
前記複数の電極線が，Ｍ本の連続して隣接する電極線からなる電極線群をＮ群有し，
前記表示パネルの第１の辺に沿って配置され，それぞれＭ端子を有する複数の第１の接続端子群と，
前記表示パネルの前記第１の辺に対向する第２の辺に沿って配置され，それぞれＭ端子を有する複数の第２の接続端子群とを有し，
前記Ｎ群の電極線群のうちＫ群（Ｋ＜Ｎ）の電極線群がそれぞれ前記第１の接続端子群に引き出し線を介して接続され，
前記Ｎ群の電極線群のうちＮ−Ｋ群の電極線群がそれぞれ前記第２の接続端子群に引き出し線を介して接続され，
前記Ｋ群の電極線群と前記Ｎ−Ｋ群の電極線群とが，１群毎にまたは複数群毎に交互に配置されていることを特徴とする。
【００１１】
上記の第１の側面における好ましい態様によれば，前記Ｍ本が３８４本，前記Ｍ端子が３８４端子，前記Ｎ群が１５群であり，前記電極線が５７６０本の電極からなる。
【００１２】
上記の第１の側面における好ましい態様によれば，前記Ｋ群が７群であり，前記Ｎ−Ｋ群が８群であり，前記第１の辺に沿って７群の第１の接続端子群が，７つの駆動ユニットにそれぞれ接続され，前記第２の辺に沿って８群の第２の接続端子群が，８つの駆動ユニットにそれぞれ接続される。
【００１３】
上記の目的を達成するために，本発明の第２の側面によれば，表示領域に形成された複数の電極線を有する表示パネルと，前記電極線が接続される複数の駆動ユニットとを有する表示パネルモジュールにおいて，
前記複数の電極線が，Ｍ本の連続して隣接する電極線からなる電極線群をＮ群有し，
前記表示パネルの第１の辺に沿って配置され，それぞれＭ端子を有する複数の第１の接続端子群と，
前記表示パネルの前記第１の辺に対向する第２の辺に沿って配置され，それぞれＭ端子を有する複数の第２の接続端子群とを有し，
前記Ｎ群の電極線群のうちＫ群（Ｋ＜Ｎ）の電極線群がそれぞれ前記第１の接続端子群に引き出し線を介して接続され，
前記Ｎ群の電極線群のうちＮ−Ｋ群の電極線群がそれぞれ前記第２の接続端子群に引き出し線を介して接続され，
前記Ｋ群の電極線群と前記Ｎ−Ｋ群の電極線群とが，１群毎にまたは複数群毎に交互に配置され，
前記複数の駆動ユニットがそれぞれ前記第１及び第２の接続端子群と接続されることを特徴とする。
【発明の効果】
【００１４】
上記の発明の側面によれば，所定本の連続して隣接する電極線からなる電極線群の単位で，上下の接続配線群に接続される。よって，電極線群と接続配線群間の引き出し線のパターン密度を緩和することができる。また，接続配線群に接続される駆動回路装置を無駄なく使用することができる。
【発明を実施するための最良の形態】
【００１５】
以下，図面にしたがって本発明の実施の形態について説明する。但し，本発明の技術的範囲はこれらの実施の形態に限定されず，特許請求の範囲に記載された事項とその均等物まで及ぶものである。
【００１６】
図１は，本実施の形態における表示パネルの構成展開図である。図１の表示パネルは，３電極面放電型のプラズマディスプレイパネルの例である。この表示パネルでは，前面ガラス基板（パネル）１と背面ガラス基板（パネル）２とが放電空間を隔てて配置される。前面ガラス基板１上には，水平方向に延びる複数の表示電極（電極線）が形成され，各表示電極は，ＩＴＯからなる透明電極１２とそれに重ねて形成される金属のバス電極１１とからなる。そして，表示電極１１，１２は誘電体層１３で被覆され，さらに誘電体層は保護層１４により被覆されている。
【００１７】
一方，背面ガラス基板２上には垂直方向に延びる複数のアドレス電極（電極線）１５が形成され，アドレス電極１５が誘電体層１６で被覆されている。さらに，アドレス電極１５の間にはストライプ状の隔壁９が形成され，誘電体層１６とアドレス電極１５上にＲＧＢの蛍光体１８，１９，２０が形成される。表示電極とアドレス電極とが交差する位置が放電セルを構成し，１つの画素はＲＧＢの３つの放電セルからなる。
【００１８】
フルスペックのハイビジョンテレビの仕様によれば，表示画素数は１９２０×１０８０である。したがって，表示電極間の放電領域を１０８０領域，アドレス電極を１９２０×３＝５７６０本，放電ユニットを５７６０×１０８０だけ設ける必要がある。
【００１９】
図２は，従来の背面ガラス基板のアドレス電極と接続端子との関係を示す図である。図中，接続端子群３２が部分的に拡大して示されている。まず，背面ガラス基板２の破線で囲まれた有効表示領域３０内には，複数のアドレス電極１５が形成されている。そして，所定本数ずつのアドレス電極群１５Ｇが，有効表示領域外で引き出し線３４を介して接続端子群３２に接続される。図２では１５群のアドレス電極群１５Ｇと接続端子群３２とが示されている。また，複数群の接続端子群３２が，ガラス基板２の一つの辺２Ａに沿って配置される。
【００２０】
この例では，アドレス電極１５の電極間ピッチ（距離）Ｐ１が，接続端子群３２の端子間ピッチＰ２よりも大きい例である。前述のとおり，アドレス電極間ピッチＰ１は，パネルの大きさと電極本数から決まるのに対して，接続端子間ピッチＰ２は，駆動ユニットのフレキシブルプリント回路基板の導線ピッチに依存する。その結果，アドレス電極群１５Ｇの横幅Ｗ１は接続端子群の横幅Ｗ２よりも大きく，それ故に，全ての接続端子群３２をパネル２の１辺２Ａに沿って配置することができる。
【００２１】
図３は，従来の別の背面ガラス基板のアドレス電極と接続端子との関係を示す図である。図２と同様に，背面ガラス基板２内の破線で囲まれた有効表示領域３０には，複数のアドレス電極１５Ａ，１５Ｂが形成され，所定本数ずつのアドレス電極群１５Ｇが，有効表示領域外で引き出し線３４を介して接続端子群３２Ａ，３２Ｂに接続される。図２と異なり，接続端子群３２Ａは下辺２Ａに沿って配置され，接続端子群３２Ｂは上辺２Ｂに沿って配置されている。そして，上下辺に設けられた１対の接続端子群３２Ａ，３２Ｂが，共通のアドレス電極群１５Ｇ内のアドレス電極１５Ａ，１５Ｂにそれぞれ接続される。つまり，複数のアドレス電極１５が１本おきに下辺２Ａの接続端子群３２Ａと，上辺２Ｂの接続端子群３２Ｂとに接続される。
【００２２】
図３では，アドレス電極数の増大に伴って，アドレス電極間ピッチＰ１が接続端子間ピッチＰ２よりも小さくなっている。そのため，全ての接続端子群３２を下辺２Ａに沿って設けることができない。そこで，接続端子群３２を下辺２Ａと上辺２Ｂとの分けて配置し，アドレス電極１５Ａ，１５Ｂを交互に下側の接続端子群３２Ａと上側の接続端子群３２Ｂとに接続している。したがって，接続端子群３２Ａの端子数の２倍の本数のアドレス電極１５Ａ，１５Ｂがアドレス電極群１５Ｇ内に含まれることになり，アドレス電極群１５Ｇの横幅Ｗ１１は，接続端子群３２Ａの横幅Ｗ２よりも極端に大きくなる。
【００２３】
このような横幅の関係Ｗ１１＞Ｗ２に起因して，アドレス電極１５Ａと接続端子３２Ａとを結ぶ引き出し線３４の線間ピッチが狭くなり，短絡不良の原因になる。特に，アドレス電極間ピッチＰ１が接続端子間ピッチＰ２よりわずかに狭い場合は，Ｗ１１がＷ２の約２倍弱になり，引き出し線３４の広がり角度が広くなり短絡不良が起きやすい。
【００２４】
さらに，図３の例では，１対の接続端子群３２Ａ，３２Ｂを対向して配置しているので，下辺２Ａの接続端子群３２Ａの数と上辺２Ｂの接続端子群３２Ｂの数とが等しくなる。それに対して，現在普及している標準の駆動回路装置は３８４（１２８×３）本のアドレス電極を駆動することができる。したがって，フルスペックのハイビジョンテレビの５７６０（１９２０×３）本のアドレス電極を駆動するためには，上下に８個ずつの駆動ユニットを設けて接続端子群３２Ａ，３２Ｂに接続することが必要になる。つまり，駆動ユニットの数は合計で１６個になり，駆動可能な電極本数は３８４×１６＝６１４４本となり，５７６０本より多い。そのため，一部の駆動ユニットでは駆動回路装置の能力を最大限に利用しておらず，コストダウンの弊害となっている。
【００２５】
図４は，本実施の形態における表示パネルの構成図である。図４は，図２，３と同様に背面ガラス基板２の平面図を示している。背面ガラス基板２内の有効表示領域３０には，複数のアドレス電極１５が形成されている。複数のアドレス電極１５は，太枠で示したとおり，所定本の連続して隣接するアドレス電極１５からなるアドレス電極群１５ＧＸ，１５ＧＹが，複数群（図４の例では１５群）に分けられている。そして，パネル２の左辺から数えて奇数番目の第１のアドレス電極群１５ＧＸが，パネルの下辺２Ａに配置された接続端子群３２Ｘに接続され，偶数番目の第２のアドレス電極群１５ＧＹが，パネルの上辺２Ｂに配置された接続端子群３２Ｙに接続されている。つまり，第１，第２のアドレス電極群は１群毎に交互に配置され，上下の接続端子群に接続される。
【００２６】
各接続端子群３２Ｘ，３２Ｙの端子数は，アドレス電極群１５ＧＸ，１５ＧＹのアドレス電極の本数と同じである。１５のアドレス電極群１５ＧＸ，１５ＧＹのうち８群の第１のアドレス電極群１５ＧＸが下辺に配置された８つの接続端子群３２Ｘにそれぞれ接続され，７群（＝１５−８）の第２のアドレス電極群１５ＧＹが上辺に配置された７つの接続端子群３２Ｙにそれぞれ接続される。つまり，接続端子群３２Ｘ，３２Ｙは合計で１５個である。
【００２７】
図４には，接続端子群３２Ｘが拡大して示されている。図３と同様に，アドレス電極１５の電極間ピッチＰ１は，接続端子間ピッチＰ２よりも小さい。そして，アドレス電極群１５ＧＸは，所定本の連続して隣接するアドレス電極１５からなるので，アドレス電極群の横幅Ｗ１２は接続端子群３２Ｘの横幅Ｗ２よりも小さい。そのため，両者を結ぶ引き出し線３４はアドレス電極から接続端子群に向かって拡がるパターンである。
【００２８】
そして，特にアドレス電極間ピッチＰ１が接続端子間ピッチＰ２よりもわずかに狭い場合は，横幅Ｗ１２とＷ２との差は，図３の横幅Ｗ１１とＷ２との差ほど大きくなく，引き出し線３４の広がり角度は図３よりも小さい。したがって，引き出し線３４の密度はそれほど高くなく，短絡不良の可能性が抑制される。図３と図４の引き出し線３４を比較すると理解できる。
【００２９】
なお，パネルサイズが４２インチのフルスペックの高精細パネルの場合で，アドレス電極間ピッチＰ１は約０．１６ｍｍ，５０インチの場合で約０．１９ｍｍ，６０インチの場合で約０．２３ｍｍ，６５インチの場合で約０．２５ｍｍであり，接続端子群の端子間ピッチＰ２は０．２〜０．３ｍｍである。
【００３０】
上記の通り，アドレス電極間ピッチＰ１が接続端子間ピッチＰ２よりも狭くなると，接続端子群３２Ｘ，Ｙを上下の辺に分離することが必要になるが，本実施の形態では，所定本の連続して隣接するアドレス電極からなるアドレス電極群１５ＧＸ，１５ＧＹ毎に，上下の第１，第２の接続端子群３２Ｘ，３２Ｙに接続することで，引き出し線の密度を低下させることができる。
【００３１】
さらに，フルスペックのハイビジョンテレビ用の高精細パネルであれば，アドレス電極１５が５７６０（＝１９２０×３）本になる。そして，接続端子群３２Ｘ，３２Ｙの端子数を標準の駆動回路装置の端子数３８４（＝１２８×３）にすると，接続端子群は１５群，よって，アドレス電極群も１５群になり，駆動回路装置を無駄なく使用することが可能になる。しかも，図３の１６群の接続端子群とそれらにそれぞれ接続される１６個の駆動ユニットと比較すると，１５個の駆動ユニットだけで良いので，駆動ユニット数を１個減らすことができる。これは，コストダウンになると共に，省電力化，省発熱量化につながる。
【００３２】
図５は，本実施の形態における表示パネルモジュールの構成図である。図４で示した表示パネル２に，導電配線が形成されたフレキシブルプリント回路基板４０及びそれに搭載される駆動回路装置４２からなる駆動ユニットが，接続端子群３２Ｘで接続されている。図５では，下辺２Ａ側の駆動ユニットのみを示している。上辺２Ｂ側の駆動ユニットは紙面の関係から省略しているが，実際には接続端子群３２Ｙに駆動ユニットが接続される。
【００３３】
フレキシブルプリント回路基板４０は，それぞれ接続端子群３２Ｘと同じ本数（上記例では３８４本）の導電配線を有し，駆動回路装置４２が同様に３８４本の駆動端子を有する。そして，１つの駆動ユニット内の駆動回路装置４２が，フレキシブルプリント回路基板４０の導電配線を介して，アドレス電極群１５ＧＸ内の３８４本のアドレス電極を駆動する。
【００３４】
フレキシブルプリント回路基板４０の反対側にはコネクタ４４が設けられ，それがバス基板４８のコネクタ４６と接続される。バス基板４８は，駆動回路装置４２に駆動データ，駆動タイミング信号，電源などを供給するバス配線を有する。そして，バス基板４８は，ＣＰＵやフレームメモリ，電源ユニットなどが搭載された制御ユニット５０に接続される。フレキシブルプリント回路基板４０を湾曲させることで，駆動回路装置４２，バス基板４８，制御ユニット５０を，表示パネルの背面側に配置することができる。
【００３５】
図４，図５の例では，アドレス電極群１５Ｘ，１５Ｙが１群おきに上下の接続端子群３２Ｘ，３２Ｙに接続されている。そして，ハイビジョンテレビ用の表示パネルの場合は，それらが１５群に分けられ，８つの接続端子群３２Ｘがパネルの下辺２Ａに沿って設けられ，７つの接続端子群３２Ｙがパネルの上辺２Ｂに沿って設けられる。本実施の形態は，必ずしも１群おきにアドレス電極群が上下の接続端子群に接続される必要はない。２群おきに上下に配分されてもよいし，２群のアドレス電極群１５ＧＸを下辺の接続端子群３２Ｘに接続し，次の１群のアドレス電極群１５ＧＹを上辺の接続端子群３２Ｙに接続してもよい。必ずしも上下の接続端子群の数を同等または１個違いにすることは必要ない。
【００３６】
図６は，本実施の形態における別の表示パネルの構成図である。この例では，パネル２の左側からみて，１つの第１のアドレス電極群１５ＧＸが下辺２Ａの接続端子群３２Ｘに接続され，次の１つの第２のアドレス電極群１５ＧＹが上辺２Ｂの接続端子群３２Ｙに接続され，次の２つの第１のアドレス電極群１５ＧＸが下辺２Ａの２つの接続端子群３２Ｘにそれぞれ接続され，次の１つの第２のアドレス電極群１５ＧＹが上辺２Ｂの接続端子群３２Ｙに接続されている。以下同様に，２つの第１のアドレス電極群と，１つの第２のアドレス電極群とが交互に上下の接続端子群３２Ｘ，３２Ｙに接続される。したがって，パネルの下辺２Ａには１０個の接続端子群３２Ｘが形成され，上辺２Ｂには５個の接続端子群３２Ｙが形成され，それぞれが図示しない駆動ユニットに接続される。
【００３７】
図７は，本実施の形態における更に別の表示パネルの構成図である。この例でパネル２の左側からみて，１つの第１のアドレス電極群１５ＧＸが下辺２Ａの接続端子群３２Ｘに接続され，次の１つの第２のアドレス電極群１５ＧＹが上辺２Ｂの接続端子群３２Ｙに接続され，次の２つの第１のアドレス電極群１５ＧＸが下辺２Ａの２つの接続端子群３２Ｘにそれぞれ接続され，次の２つの第２のアドレス電極群１５ＧＹが上辺２Ｂの接続端子群３２Ｙに接続されている。以下同様に，第１，第２のアドレス電極群１５ＧＸ，１５ＧＹが２群ずつ上下の接続端子群３２Ｘ，３２Ｙに接続される。そして，最右端の１つの第１のアドレス電極群１５ＧＸが下辺２Ａの接続端子群３２Ｘに接続されている。したがって，パネルの下辺２Ａには８個の接続端子群３２Ｘが形成され，上辺２Ｂには７個の接続端子群３２Ｙが形成され，それぞれが図示しない駆動ユニットに接続される。
【００３８】
以上の説明では，表示パネルの垂直方向に延びるアドレス電極とその接続端子群及び駆動ユニットを例にして説明した。しかし，本実施の形態は，表示パネルの水平方向に延びる表示電極とその接続端子群，駆動ユニットにも同様に適用可能である。また，上記の説明では，プラズマディスプレイパネルを例にして説明したが，液晶表示パネルや有機ＥＬ表示パネルの電極についても本実施の形態は同様に適用できる。
【図面の簡単な説明】
【００３９】
【図１】本実施の形態における表示パネルの構成展開図である。
【図２】従来の背面ガラス基板のアドレス電極と接続端子との関係を示す図である。
【図３】従来の別の背面ガラス基板のアドレス電極と接続端子との関係を示す図である。
【図４】本実施の形態における表示パネルの構成図である。
【図５】本実施の形態における表示パネルモジュールの構成図である。
【図６】本実施の形態における別の表示パネルの構成図である。
【図７】本実施の形態における更に別の表示パネルの構成図である。
【符号の説明】
【００４０】
２：表示パネル（背面ガラス基板）    １５：電極線（アドレス電極）
１５ＧＸ：第１の電極線群      １５ＧＹ：第２の電極線群
３２Ｘ：第１の接続端子群            ３２Ｙ：第２の接続端子群
【図１】
2008064949.tif 000003
【図２】
2008064949.tif 000004
【図３】
2008064949.tif 000005
【図４】
2008064949.tif 000006
【図５】
2008064949.tif 000007
【図６】
2008064949.tif 000008
【図７】
2008064949.tif 000009